(57)【要約】【課題】電子筆記装置を用いてメモした内容をスキャンしてデータ化し、議事録フォーマットとして保存することで、時間や手間を要することなく、通話相手等にメモ内容を議事録として送信することができるデータ処理システムを提供する。【解決手段】携帯電話端末１０と、操作者の筆記動作を検出する電子筆記装置２０と、を有し、携帯電話端末１０は、通話実行時における、通話相手情報と通話日時情報とを取得し、電子筆記装置２０は、通話実行時における、入力結果に応じてストロークデータを生成する。そのストロークデータは、携帯電話端末１０又は電子筆記装置２０により対応するテキストデータに生成される。携帯電話端末１０は、そのテキストデータを、対応する通話相手情報及び通話日時情報と関連づけて議事録を作成するとともに、対応する通話相手情報を用いて通話相手に議事録を送信する。【選択図】図２
2015002448.tif 000002
【特許請求の範囲】
【請求項１】
携帯電話端末と、操作者の筆記動作を検出する電子筆記装置と、を有するデータ処理システムであって、
前記携帯電話端末による通話実行時における、通話相手情報を取得する相手情報取得手段と、
前記通話実行時における、通話日時情報を取得する日時情報取得手段と、
前記通話実行時における、前記電子筆記装置への入力結果に応じてストロークデータを生成するストロークデータ生成手段と、
前記ストロークデータ生成手段により生成されたストロークデータに基づき、対応するテキストデータを生成するテキストデータ生成手段と、
前記テキストデータ生成手段により生成された前記テキストデータを、対応する前記通話相手情報及び前記通話日時情報と関連づけて議事録を作成する議事録作成手段と、
前記議事録作成手段により作成された前記議事録を、対応する前記通話相手情報を用いて送信する議事録送信手段と、
を有することを特徴とするデータ処理システム。
【請求項２】
請求項１記載のデータ処理システムにおいて、
前記議事録作成手段により作成された前記議事録を記憶する議事録記憶手段を有し、
前記議事録送信手段は、
送信指示の入力がなされたことを契機に、前記議事録記憶手段に記憶された前記議事録を、対応する前記通話相手情報を用いて送信する
ことを特徴とするデータ処理システム。
【請求項３】
請求項２記載のデータ処理システムにおいて、
前記相手情報取得手段、前記日時情報取得手段、前記議事録作成手段、及び、前記議事録送信手段は、前記携帯電話端末に備えられており、
前記ストロークデータ生成手段は、前記電子筆記装置に備えられており、
前記テキストデータ生成手段は、前記携帯電話端末及び前記電子筆記装置のいずれか一方に備えられている
ことを特徴とするデータ処理システム。
【請求項４】
請求項３記載のデータ処理システムにおいて、
前記電子筆記装置は、
特定の１つの前記携帯電話端末とペアリング登録がなされており、
前記１つの携帯電話端末に備えられる前記相手情報取得手段は、
当該携帯電話端末により複数の通話相手に対し順次通話が実行されたとき、それら複数の通話相手に対応した複数の前記通話相手情報を順次取得し、
前記１つの携帯電話端末に備えられる前記日時情報取得手段は、
当該携帯電話端末により前記複数の通話相手に対し順次通話が実行されたとき、それら複数の通話相手への通話に対応した複数の前記通話日時情報を順次取得し、
前記１つの携帯電話端末に備えられる前記議事録作成手段は、
当該携帯電話端末による前記複数の通話相手への通話に対応して前記テキストデータ生成手段により順次生成された前記テキストデータを、各通話相手ごとに対応する前記通話相手情報及び前記通話日時情報にそれぞれ関連づけることで、前記複数の通話相手それぞれに係わる複数の前記議事録を順次作成し、
前記１つの携帯電話端末に備えられる前記議事録記憶手段は、
前記議事録作成手段により順次作成された前記複数の議事録を記憶し、
前記１つの携帯電話端末に備えられる前記議事録送信手段は、
前記送信指示の入力がなされたことを契機に、前記議事録記憶手段に記憶された前記複数の議事録を、対応する前記通話相手情報を用いて一斉送信する
ことを特徴とするデータ処理システム。
【請求項５】
請求項３記載のデータ処理システムにおいて、
前記電子筆記装置は、
特定の複数の前記携帯電話端末とペアリング登録がなされており、
各携帯電話端末に備えられる前記相手情報取得手段は、
対応する前記通話相手に対して通話が実行されたとき、当該通話相手に対応した前記通話相手情報を取得し、
各携帯電話端末に備えられる前記日時情報取得手段は、
対応する前記通話相手に対して通話が実行されたときの、対応する前記通話日時情報を取得し、
各携帯電話端末に備えられる前記議事録作成手段は、
対応する前記通話相手への通話に対応して前記テキストデータ生成手段により生成された前記テキストデータを、対応する前記通話相手情報及び前記通話日時情報に関連づけることで、当該通話相手に係わる１つの前記議事録を作成し、
各携帯電話端末に備えられる前記議事録記憶手段は、
前記議事録作成手段により作成された前記１つの議事録を記憶し、
各携帯電話端末に備えられる前記議事録送信手段は、
前記送信指示の入力がなされたことを契機に、前記議事録記憶手段に記憶された前記１つの議事録を、対応する前記通話相手情報を用いて送信する
ことを特徴とするデータ処理システム。
【請求項６】
筆記部による筆記動作を検出する電子筆記装置であって、
前記筆記動作に伴って移動する、筆記部の複数の位置情報を取得する位置情報取得手段と、
前記位置情報取得手段で取得された前記複数の位置情報を用いて、前記筆記部による前記筆記動作に対応したストロークデータを生成するストロークデータ生成手段と、
前記電子筆記装置の使用時において、予めペアリング登録された携帯電話端末が通話実行時であるか否かを決定する通話決定手段と、
前記通話決定手段により前記携帯電話端末が通話実行時であると決定されたことを契機に、前記ストロークデータ生成手段により生成されたストロークデータ、若しくは、前記ストロークデータに基づき生成されたテキストデータ、を当該携帯電話端末へ送信するテキストデータ送信手段と、
を有することを特徴とする電子筆記装置。
【請求項７】
通話相手と通話するための送受信手段を有するとともに、操作者の筆記動作を検出する特定の電子筆記装置とペアリング登録された、携帯電話端末に備えられた演算手段に対し、
前記送受信手段による通話実行時における前記通話相手の通話相手情報を取得する相手情報取得手順と、
前記通話実行時における、通話日時情報を取得する日時情報取得手順と、
前記通話実行時における、前記電子筆記装置への入力結果に対応したストロークデータに基づき生成されたテキストデータを、対応する前記通話相手情報及び前記通話日時情報と関連づけて議事録を作成する議事録作成手順と、
前記議事録作成手順で作成された前記議事録を、対応する前記通話相手情報を用いて送信する議事録送信手順と、
を実行させるための、データ処理プログラム。
【請求項８】
請求項７記載のデータ処理プログラムにおいて、
前記演算手段に対し、さらに、
前記議事録作成手順で作成された前記議事録を記憶手段に記憶する議事録記憶手順を実行させ、
前記議事録送信手順は、
送信指示の入力がなされたことを契機に、前記議事録記憶手順で前記記憶手段に記憶された前記議事録を、対応する前記通話相手情報を用いて送信する
ことを特徴とするデータ処理プログラム。
【発明の詳細な説明】
【技術分野】
【０００１】
本発明は、操作者が筆記した内容を電子的に入力し、その入力をテキストデータに変換することができるデータ処理システム、電子筆記装置、データ処理プログラムに関する。
【背景技術】
【０００２】
近年、操作者の手書きによる筆記内容を電子的に入力可能な電子筆記装置が知られている。この電子筆記装置では、操作者が、電子ペンや電子パネル等の電子筆記具を用いて、手書きの所望の文字列等を認識して筆記データを生成するものである。
【０００３】
ここで、筆記データは、コンピュータ装置に記憶し管理したり、画像形成処理の印刷データとして利用することができる（例えば、特許文献１参照）。
【先行技術文献】
【特許文献】
【０００４】
【特許文献１】特開２０１２−１０３７７６号公報
【発明の概要】
【発明が解決しようとする課題】
【０００５】
ところで、携帯電話等を用いた通話中において、通話相手との通話内容をメモすることがあるが、場合によっては、そのメモを確認等のために相手先にも送信したいという場合がある。
【０００６】
ここで、通話中にメモを取り、そのメモ内容を通話相手又は通話相手を含む関係者等と共有する場合、記録したメモ内容は、上述した電子筆記装置を用いた場合であっても、コンピュータ装置を用いて電子データ化して電子メールに添付ファイルとして送信するか、筆記データをＯＣＲ機能を利用してテキストデータ化し、そのテキストデータを電子メールの本文内に展開して送信するという方法が考えられるが、手間を要するという問題が生じていた。
【０００７】
なお、近年の携帯電話端末にあっては、例えば、スマートフォンに代表されるように、表示画面にタッチパネル方式を用い、その表示画面を電子筆記装置として利用することが考えられる。
【０００８】
しかしながら、このような携帯電話端末を電子筆記装置として利用したとしても、通話中に表示画面にメモ書きすることは非常に困難であるうえ、携帯電話端末と電子筆記装置とが１対１で対応していることから、電子筆記装置を複数の操作者で共有するのは不可能である。
【０００９】
本発明の目的は、電子筆記装置を用いてメモした内容をスキャンしてデータ化し、議事録フォーマットとして保存することで、時間や手間を要することなく、通話相手等にメモ内容を議事録として送信することができるデータ処理システム、電子筆記装置、データ処理プログラムを提供することにある。
【課題を解決するための手段】
【００１０】
上記目的を達成するために、本願発明のデータ処理システムは、携帯電話端末と、操作者の筆記動作を検出する電子筆記装置と、を有するデータ処理システムであって、前記携帯電話端末による通話実行時における、通話相手情報を取得する相手情報取得手段と、前記通話実行時における、通話日時情報を取得する日時情報取得手段と、前記通話実行時における、前記電子筆記装置への入力結果に応じてストロークデータを生成するストロークデータ生成手段と、前記ストロークデータ生成手段により生成されたストロークデータに基づき、対応するテキストデータを生成するテキストデータ生成手段と、前記テキストデータ生成手段により生成された前記テキストデータを、対応する前記通話相手情報及び前記通話日時情報と関連づけて議事録を作成する議事録作成手段と、前記議事録作成手段により作成された前記議事録を、対応する前記通話相手情報を用いて送信する議事録送信手段と、を有することを特徴とする。
【００１１】
本願発明のデータ処理システムは、携帯電話端末と、電子筆記装置とを備えている。そして、携帯電話端末を用いて通話が実行されると、そのときの電子筆記装置への入力内容に基づく議事録が作成される。
【００１２】
すなわち、操作者が携帯電話端末により通話を行ったときには、相手情報取得手段により通話相手情報が取得されると共に、日時情報取得手段により通話日時情報が取得される。
【００１３】
一方、その通話実行時に操作者が通話に合わせて電子筆記装置に対し筆記動作による入力を行うと、ストロークデータ生成手段によって当該入力結果に対応したストロークデータが生成され、さらにテキストデータ生成手段によって対応するテキストデータが生成される。そして、議事録作成手段により、このテキストデータと、上記通話相手情報と、上記通話日時情報とが関連づけられて議事録が作成される。作成された議事録は、議事録送信手段によって、対応する通話相手情報を用いて（言い替えれば当該通話に対応した通話相手へ）送信される。
【００１４】
以上のようにして、本願発明においては、操作者が通話相手と通話しながら筆記した内容を議事録として電子データ化し、当該通話の通話相手に送信する。これにより、簡単な操作で、通話に関連する所望の内容をリアルタイムに正確に記録して通話相手に送付することができる。
【００１５】
ところで、上述した「通話実行時」とは、実際の通話中はもちろんであるが、通話終了直後、例えば、通話が終了した直後のメモの修正や確認等の編集時間等を含むものとすることができる。
【００１６】
また、上述したテキストデータとは、いわゆる文字データに限定されるものではなく、例えば、手書きの地図や設計図等のポンチ絵をそのままＪＰＧ方式やＰＤＦ方式の画像データに変換したもの、或は、文字データと画像データとの両方を含むものでもよい。
【００１７】
さらに、議事録送信手段は、通話相手だけを送信対象とするのではなく、たとえば、あらかじめ登録された操作者（又は担当上司等）の携帯電話端末やパーソナルコンピュータ等への電子メールアドレスに対してＣＣ又はＢＣＣでパラレルに送信することも可能である。この際、これら通話相手や予め登録された操作者等への議事録の送信は、送信前の選択画面等によって選択することも可能である。
【００１８】
また、上記目的を達成するために、本願発明の電子筆記装置は、筆記部による筆記動作を検出する電子筆記装置であって、前記筆記動作に伴って移動する、筆記部の複数の位置情報を取得する位置情報取得手段と、前記位置情報取得手段で取得された前記複数の位置情報を用いて、前記筆記部による前記筆記動作に対応したストロークデータを生成するストロークデータ生成手段と、前記電子筆記装置の使用時において、予めペアリング登録された携帯電話端末が通話実行時であるか否かを決定する通話決定手段と、前記通話決定手段により前記携帯電話端末が通話実行時であると決定されたことを契機に、前記ストロークデータ生成手段により生成されたストロークデータ、若しくは、前記ストロークデータに基づき生成されたテキストデータ、を当該携帯電話端末へ送信するテキストデータ送信手段と、を有することを特徴とする。
【００１９】
本願発明の電子筆記装置は、位置情報取得手段とストロークデータ生成手段とを備えている。操作者が筆記部（例えば、筆記具や自身の指先等）により筆記動作を行うと、その移動により生じる複数の位置情報が、位置情報取得手段によって取得される。そして、その複数の位置情報を用いて、ストロークデータ生成手段により、当該筆記動作に対応したストロークデータが生成される。
【００２０】
また、本願発明の電子筆記装置は、携帯電話端末と予めペアリング登録されており、当該携帯電話端末と連携して動作する。すなわち、電子筆記装置の使用時には、通話決定手段が、上記携帯電話端末が通話実行時であるか否かを判定する。通話実行時であった場合には、上記のようにして作成されたストロークデータ（あるいはそれに基づいて生成されたテキストデータ）が、当該携帯電話端末に送信される。
【００２１】
これにより、例えば操作者が携帯電話端末により通話を行いつつ、通話に合わせて筆記動作による入力を行った場合には、その入力内容のテキストデータを上記携帯電話端末へと送信することができる。この結果、携帯電話端末は、受信した当該テキストデータを当該通話の通話相手と対応づけて通話内容の議事録を作成可能となり、さらに作成した議事録を当該通話相手へと送信可能となる。
【００２２】
以上のようにして、本願発明においては、操作者が通話相手と通話しながら筆記した内容を議事録として電子データ化し、当該通話の通話相手に送信することができる。これにより、簡単な操作で、通話に関連する所望の内容をリアルタイムに正確に記録して通話相手に送付することができる。
【００２３】
さらに、上記目的を達成するために、本願発明は、通話相手と通話するための送受信手段を有するとともに、操作者の筆記動作を検出する特定の電子筆記装置とペアリング登録された、携帯電話端末に備えられた演算手段に対し、前記送受信手段による通話実行時における前記通話相手の通話相手情報を取得する相手情報取得手順と、前記通話実行時における、通話日時情報を取得する日時情報取得手順と、前記通話実行時における、前記電子筆記装置への入力結果に対応したストロークデータに基づき生成されたテキストデータを、対応する前記通話相手情報及び前記通話日時情報と関連づけて議事録を作成する議事録作成手順と、前記議事録作成手順で作成された前記議事録を、対応する前記通話相手情報を用いて送信する議事録送信手順と、を実行させるためのデータ処理プログラムとすることができる。
【発明の効果】
【００２４】
本発明によれば、電子筆記装置を用いてメモした内容をスキャンしてデータ化し、議事録フォーマットとして保存することで、時間や手間を要することなく、通話相手等にメモ内容を議事録として送信することができる。
【図面の簡単な説明】
【００２５】
【図１】本発明の第１実施形態のデータ処理システムを表す概略構成図である。
【図２】本発明の第１実施形態のデータ処理システムに適用される携帯電話端末の電気的構成を表す機能ブロック図である。
【図３】本発明の第１実施形態のデータ処理システムに適用される電子筆記装置を示す斜視図である。
【図４】本発明の第１実施形態のデータ処理システムに適用される電子筆記装置の電気的構成を示すブロック図である。
【図５】第１実施形態での議事録フォーマットの説明図である。
【図６】第１実施形態での議事録作成時において、携帯電話端末及び電子筆記装置で実行される操作手順を表すタイムチャートである。
【発明を実施するための形態】
【００２６】
＜第１実施形態＞
以下、本発明の第１実施形態を図面を参照しつつ説明する。
【００２７】
＜システム概略＞
本実施形態のデータ処理システム１は、図１に示すように、携帯電話端末１０と、操作者の筆記動作を検出する電子筆記装置２０と、を有する。
【００２８】
携帯電話端末１０は、液晶ディスプレイ等の表示部１１と、例えば、キーボードやマウスやボタン等からなる操作部１２と、を有している。また、本実施形態のデータ処理システム１に使用される携帯電話端末１０は、インターネット回線ＮＷを用いて電子メールの送受信機能を有するともに、例えば、スマートフォンのように、アプリケーションケーションがインストール可能なものである。
【００２９】
アプリケーションは携帯電話端末１０の電話帳情報取得機能、日時取得機能及び通話実行時であるか否かの情報を、電子筆記装置２０に無線通信インターフェース（例えば、ＷｉＦｉ、ＷｉＦｉダイレクト、ＢｌｕｅＴｏｏｔｈ（登録商標）等）を用いて送信する機能をもつ。また、携帯電話端末１０に保存させる議事録フォーマットを有する。
【００３０】
また、本実施形態のデータ処理システム１に使用される電子筆記装置２０は、操作者の筆記動作を検出する機能を有するともに、無線通信インターフェースを有し、手書き入力された文字をＯＣＲ機能により文字認識を可能としている。したがって、電子筆記装置２０は、無線通信インターフェースを用いて携帯電話端末１０と相互にデータの送受信を可能としている。
【００３１】
具体的に、携帯電話本体１０は、図２に示すように、操作者により指示や情報を入力する操作部１１と、各種情報やメッセージ等を表示するタッチパネル方式の操作部を兼ねる表示部１２と、演算手段としてのＣＰＵ１３と、ＣＰＵ１３で処理する制御プログラムを記憶したＲＯＭやＲＡＭ等からなるメモリ１４と、第１アンテナ１５Ａを介して中継局３０を経由してインターネット回線ＮＷと各種データや信号の送受信を行うデータ送受信部１６と、第２アンテナ１５Ｂを介して電気筆記装置２０と無線通信インターフェースを用いて相互無線通信を行う通信制御部（無線通信インターフェース）１７と、電話機能の通話を可能とするためのスピーカ１８及びマイク１９と、を有する。
【００３２】
＜電子筆記装置の概略構成＞
本実施形態の電子筆記装置２０の概略構成を図３により説明する。以下の説明では、図３の左上側、右下側、上側、下側、右上側、及び左下側を、電子筆記装置２０の左側、右側、上側、下側、後側、及び前側として説明する。
【００３３】
図３において、電子筆記装置２０は、公知の電磁誘導式の電子筆記具に相当する電子ペン２１を用いた操作者の筆記動作を検出する。つまり、操作者が電子ペン２１を用いて、電子筆記装置２０の筐体２２Ｌ，２２Ｒに装着された被筆記媒体２３に情報を筆記した際に、電子ペン２１の位置を経時的に検出し電子化する、薄型軽量の手書き入力装置である。
【００３４】
図３に示すように、電子筆記装置２０は、複数のページを備える被筆記媒体２３を保持する筐体２２Ｌ，２２Ｒを有する。この筐体２２Ｌ，２２Ｒは、各々、樹脂製の矩形薄板状であり、左右方向に見開いた状態と、内側に折り畳んだ状態（図示せず）とに配置を変更可能である。一方の筐体２２Ｌは、第１センサ２４Ｌ（後述の図４参照）等を収容している。他方の筐体２２Ｒは、第２センサ２４Ｒ（後述の図４参照）等を収容している。
【００３５】
被筆記媒体２３は、複数枚の用紙２５が左右方向に見開き可能に綴じられ、各用紙２５は裏表両面を各ページとして筆記可能となっている。
【００３６】
＜電子筆記装置２０の電気的構成＞
図４を用いて電子筆記装置２０の電気的構成を説明する。電子筆記装置２０は、メイン基板２６、第１センサ２４Ｌ、第２センサ２４Ｒ、及びセンサ制御基板２７，２８を主に備える。メイン基板２６、第１センサ２４Ｌ、及びセンサ制御基板２７は筐体２２Ｌ内に設けられ、第２センサ２４Ｒ、及びセンサ制御基板２８は筐体２２Ｒ内に設けられる。
【００３７】
メイン基板２６は、ＣＰＵ２６Ａ、フラッシュＲＯＭ２６Ｂ、ＲＡＭ２６Ｃ、及び無線通信部２６Ｄを備えている。フラッシュＲＯＭ２６Ｂ及び無線通信部２６Ｄは、ＣＰＵ２６Ａに電気的に接続されている。ＣＰＵ２６Ａは、電子筆記装置２０の制御を行う。フラッシュＲＯＭ２６Ｂには、ＣＰＵ２６Ａが電子筆記装置２０を制御するために実行する各種プログラムが記憶されている。また、フラッシュＲＯＭ２６Ｂには、電子ペン２１の筆記動作に伴って移動する、電子ペン２１の複数の位置情報であるストロークデータ（移動軌跡）が記憶される。ストロークデータは、第１センサ２４Ｌ及び第２センサ２４Ｒによって経時的に検出された電子ペン２１の複数の位置情報（例えば、座標情報）によって、用紙２５に筆記する電子ペン２１の移動軌跡をストロークデータ生成手段としてのＣＰＵ２６Ａで特定する。さらに、フラッシュＲＯＭ２６Ｂには、用紙２５に設けられたページ識別領域（図示せず）を電子ペン２１で横切るように走査する際に、電子ペン２１の移動軌跡を示すストロークデータとともに、移動に伴う経過時間の時間データが記憶される。また、フラッシュＲＯＭ２６Ｂには、用紙２５に設けられたページ識別領域を電子ペン２１で横切るように走査する際に想定される電子ペン２１の移動態様とページ番号とを対応付けた相関テーブル形式で記憶するようになっている。ＲＡＭ２６Ｃは、演算データ等の各種データを一時的に記憶する。無線通信部２６Ｄは、外部の電子機器と近距離無線通信を実行するためのコントローラである。
【００３８】
第１センサ２４Ｌ及び第２センサ２４Ｒは、Ｘ軸方向（左右方向）及びＹ軸方向（上下方向）の各々に、所定の間隔で列設された複数の細長いループコイルを備える。第１センサ２４Ｌは、センサ制御基板２７のＡＳＩＣ２７Ｌに電気的に接続されている。ＡＳＩＣ２７Ｌは、第１センサ２４Ｌを制御して、後述するスキャンを実行させる。図示しないが、ＡＳＩＣ２７Ｌは、電力切替回路、増幅回路、及び整流回路を含む。電力切替回路は、第１センサ２４Ｌへの電力の供給をオン又はオフにする。増幅回路は、第１センサ２４Ｌから入力される信号を増幅する。整流回路は、増幅回路から入力された信号を振幅検波した後、平滑化して直流信号に変換する。同様に、第２センサ２４Ｒは、センサ制御基板２８のＡＳＩＣ２８Ｒに電気的に接続されている。ＡＳＩＣ２８Ｒは、第２センサ２４Ｒを制御する。図示しないが、ＡＳＩＣ２８Ｒは、電力切替回路、増幅回路、及び整流回路を含む。ＡＳＩＣ２７Ｌ，２９１のうち、マスター側のＡＳＩＣ２７ＬはＣＰＵ２６Ａに直接接続され、スレーブ側のＡＳＩＣ２８ＲはＡＳＩＣ２７Ｌを介してＣＰＵ２６Ａに接続されている。
【００３９】
第１センサ２４Ｌ及び第２センサ２４Ｒが電子ペン２１の位置を検出する動作（以下、この動作を単に「スキャン」ともいう。）の原理を、概略的に説明する。ＣＰＵ２６ＡはＡＳＩＣ２７Ｌ，２９１を制御して、第１センサ２４Ｌ及び第２センサ２４Ｒの各々のループコイルに、一本ずつ特定の周波数の電流（励磁用送信電流）を流す。これにより、第１センサ２４Ｌ及び第２センサ２４Ｒの各々のループコイルから磁界が発生する。この状態で、例えば操作者が電子ペン２１を用いて情報入力装置２に装着された被筆記媒体２３の用紙２５に情報を記入すると、電子ペン２１が第１センサ２４Ｌ又は第２センサ２４Ｒに近接する。そのため、電子ペン２１の共振回路は電磁誘導によって共振し、誘導磁界を生じる。
【００４０】
次に、ＡＳＩＣ２７Ｌ，２９１は、各々第１センサ２４Ｌ及び第２センサ２４Ｒのループコイルからの磁界の発生を停止させる。さらに、電子ペン２１の共振回路から発せられる誘導磁界を、第１センサ２４Ｌ及び第２センサ２４Ｒの各々のループコイルで受信する。ＣＰＵ２６Ａは、第１センサ２４Ｌ及び第２センサ２４Ｒの各々のループコイルに流れる信号電流（受信電流）を検出する。この動作が全てのループコイルについて一本ずつ実行され、電磁誘導によって発生した信号は、ＡＳＩＣ２７Ｌ，２９１によって増幅、振幅検波された後、検出結果として随時ＣＰＵ２６Ａに入力される。ＣＰＵ２６Ａは、入力された信号を振幅、即ち電圧値に対応したデジタル信号に変換し、デジタル信号に基づいて電子ペン２１を検出したセンサを特定後、電子ペン２１の位置を検出する。
【００４１】
ここで、電子ペン２１が用紙２５に情報を記入している状態では、電子ペン２１に筆圧が付与され、その筆圧に応じて、電子ペン２１の内部のコイル（図示せず）のインダクタンスが変化する。これにより、電子ペン２１の共振回路の共振周波数が変化する。ＣＰＵ２６Ａはこの共振周波数の変化（位相変化）を検出して、電子ペン２１に付与された筆圧を特定する。つまりＣＰＵ２６Ａは、電子ペン２１から特定した筆圧によって、用紙２５に情報が記入されているか否かを判断できる。ＣＰＵ２６Ａは、用紙２５に情報が記入されていると判断した場合、ストロークデータを取得して、フラッシュＲＯＭ２６Ｂに保存する。
【００４２】
このように、本実施形態における電子筆記装置２０は、電子ペン２１による筆記動作に伴って移動する電子ペン２１の複数の位置情報を取得する位置情報取得手段として第１センサ２４Ｌ及び第２センサ２４Ｒを備えている。
【００４３】
また、本実施形態における電子筆記装置２０は、第１センサ２４Ｌ及び第２センサ２４Ｒによってストロークデータを生成するストロークデータ生成手段としてのＣＰＵ２６Ａを有する。
【００４４】
さらに、電子筆記装置２０は、その使用時において、予めペアリング登録された携帯電話端末１０が通話実行時であることを契機に、その生成したストロークデータ、若しくは、ストロークデータに基づき生成されたテキストデータ、を携帯電話端末１０へ送信するテキストデータ送信手段として機能する。
【００４５】
このように、電子ペン２１を用いて用紙２５に記入した情報は、公知の識別機能を利用して識別され、公知のＯＣＲ機能を用いて文字認識される、なお、電子ペン２１の具体的な構成や用紙２５等を用いたストロークデータ又はテキストデータの生成機能（ＯＣＲ機能）は公知のものを用いることができるため、ここではその詳細な説明は省略する。
【００４６】
次に、本実施形態における概略の使用例を説明する。本実施形態においては、携帯電話端末１０には、予め本実施携帯のデータ処理システムを実行するためのアプリケーションがインストールされている。
【００４７】
このアプリケーションは、電話機能を用いた相手先への発呼又は相手先からの着呼時において電話帳登録された、登録名、電話番号、電子メールアドレス等を含む。この際、本実施携帯のデータ処理システムを実現するためには、少なくとも、相手先を特定するための電話番号と電子メールアドレスとが対応付けして携帯電話端末１０のメモリ１４に記憶されている必要がある。
【００４８】
また、アプリケーションは、携帯電話端末１０に標準で設けられているタイマを用いて相手先への発呼又は相手先からの着呼時から通話を開始した通話開始日時を取得する。
【００４９】
さらに、アプリケーションは、図５に示すように、議事録フォーマット５０を有している。この議事録フォーマット５０は、例えば、相手先の電話番号（又は電話帳の登録名）記入欄５１、通話開始日時記入欄５２、件名（「先ほどのお電話の件」などの固定のテキストデータ））記入欄５３、メモ内容記入欄５４、等を有している。なお、メモ内容記入欄５４には、ストロークデータ生成手段としての電子筆記装置２０のＣＰＵ２６Ａにより生成されたストロークデータに基づき、携帯電話端末１０のＣＰＵ１３又は電子筆記装置２０のＣＰＵ２６Ａをテキストデータ生成手段としてＯＣＲ機能により対応するテキストデータを生成し、そのテキストデータを文字情報として展開して表示される。
【００５０】
したがって、携帯電話端末１０は、相手情報取得手段、日時情報取得手段、議事録作成手段、及び、議事録送信手段を備えている。電子筆記装置２０はストロークデータ生成手段を備えている。なお、ＯＣＲ機能を含むテキストデータ生成手段は、携帯電話端末１０又は電子筆記装置２０の何れか一方が備えていればよい。
【００５１】
これにより、操作者が通話相手と通話しながら電子筆記装置２０で筆記したメモ内容であるストロークデータに基づき、議事録フォーマット５０を用いて携帯電話端末１０によりテキストデータの議事録が作成される。作成された議事録は、携帯電話端末１０から通話相手へと電子メールにより送信することができる。これにより、携帯電話端末１０での通話に関連する所望の内容を、確実に通話相手に送信することができる。
【００５２】
次に、本実施形態における具体的な作業ルーチンを図６のタイムチャートを用いて説明する。なお、図６に示したフローは、携帯電話端末１０のＣＰＵ１３又は電子筆記装置２０のＣＰＵ２６Ａによる処理ルーチンであるほか、操作者による操作に基づく処理ルーチンも含めている。
【００５３】
まず、電子筆記装置２０のＣＰＵ２６Ａは、予め議事録作成対象とするアプリケーションをインストールした携帯電話端末１０をＲＡＭ２６Ｃに記憶しておく（ステップＳＴ１）。
【００５４】
次に、電子筆記装置２０のＣＰＵ２６Ａは、無線通信インターフェースを用いて登録済み携帯電話端末１０が通話実行中であるか否かを確認する（ステップＳＴ２）。
【００５５】
ここで、携帯電話端末１０のＣＰＵ１３は、電子筆記装置２０からの確認により、通話実行中であればその旨を無線通信インターフェースを用いて回答する（ステップＳＳ１）。
【００５６】
電子筆記装置２０のＣＰＵ２６Ａは、携帯電話端末１０からの通話実行中の回答を受けて、通話相手が携帯電話端末１０の電話帳に登録されているかの通話相手の問い合わせを行う（ステップＳＴ３）。
【００５７】
携帯電話端末１０のＣＰＵ１３は、議事録作成のアプリケーションを立ち上げ、フラッシュＲＯＭ２６Ｂに電話帳登録した相手先との通話中である場合には、その通話相手の電話番号又は登録名（氏名等）前を取得し、て電子筆記装置２０に送信する。登録がない場合は通話相手の電話番号を取得するとともに通話開始日時を取得し、無線通信インターフェースを用いて回答する（ステップＳＳ２）。
【００５８】
電子筆記装置２０のＣＰＵ２６Ａは、通話実行時が終了した場合、例えば、操作者による携帯電話端末１０の終話操作信号の取得や終話信号の自動取得、又は操作者によるスキャン実行操作等を受けて、メモ内容のスキャンを実行する（ステップＳＴ４）。
【００５９】
さらに、電子筆記装置２０のＣＰＵ２６Ａは、スキャンした内容からストロークデータを生成し、さらにその生成したストロークデータに基づき、テキストデータ（テキストコード）を生成する（ステップＳＴ５）。
【００６０】
そして、電子筆記装置２０のＣＰＵ２６Ａは、生成したテキストデータ（テキストコード）を無線通信インターフェースを用いて携帯電話端末１０に送信してこのルーチンを終了する（ステップＳＴ６）。なお、ステップＳＴ５によるテキストデータ（テキストコード）の生成は携帯電話端末１０で行っても良い。この場合、電子筆記装置２０のＣＰＵ２６Ａは、生成したストロークデータを無線通信インターフェースを用いて携帯電話端末１０に送信してこのルーチンを終了する。
【００６１】
一方、携帯電話端末１０のＣＰＵ１３は、フラッシュＲＯＭ２６Ｂに記憶した議事録フォーマット５０を呼び出し（ステップＳＳ３）、受け取ったテキストデータと、電話帳登録した通話実行時の相手先と、通話開始日時と、固定の件名と、をテキストデータで展開して議事録を作成し、携帯電話端末１０の表示部１１に表示する（ステップＳＳ５）。
【００６２】
ここで、操作者は、携帯電話端末１０の表示部１１に表示された議事録を確認し（ステップＳＳ６）、表示結果に問題なければ議事録を通話相手に送信する送信操作を行う。これにより、携帯電話端末１０のＣＰＵ１３は、通話相手に議事録を電子メールとしてインターネット回線ＢＷを利用して送信し（ステップＳＳ７）、このルーチンを終了する。
【００６３】
なお、本発明は、上記実施形態に限られるものではなく、その趣旨及び技術的思想を逸脱しない範囲内で種々の変形が可能である。以下、そのような変形例を順を追って説明する。
【００６４】
例えば、上述した議事録は、携帯電話端末１０のメモリ１４を議事録記憶手段として一時的に記憶することができ、携帯電話端末１０の送信指示の入力がなされたことを契機に、メモリ１４に記憶した議事録を、対応する通話相手に送信することも可能である。
【００６５】
これにより、操作者は、作成した議事録をメモリ１４に一時的に記憶させておいた後、所望の適宜のタイミングで通話相手に送付することができる。したがって、携帯電話端末１０は、例えば、先の通話から時間を空けずに後の通話を行い、その通話実行時においてもメモを作成した場合においても、例え、その後の通話の相手が先の通話と同じか別かに関わらず、複数の議事録をまとめて（又は順次確認して）送信することができる。
【００６６】
このように、本実施携帯においては、１人の操作者が複数の通話相手と通話しながら順次筆記した内容を、それぞれ議事録として電子データ化した後、各通話相手に対し、対応する議事録を送信することができる。これにより、各通話相手ごとに、通話に関連する所望の内容をそれぞれ正確に記録し、送付することができる。
【００６７】
また、電子筆記装置２０は、特定の複数の携帯電話端末１０とペアリング登録をしておき、それら各携帯電話端末１０が備える相手情報（電話帳）により対応する通話相手に対して通話が実行されたとき、その通話相手に対応した通話相手情報と、通話日時情報とを取得するようにしてもよい。
【００６８】
これにより、携帯電話端末１０では、対応する通話相手への通話実行時に作成されたメモに対応するテキストデータから、通話相手情報及び通話日時情報に関連づけて議事録を作成してメモリ１４に議事録を記憶し、送信指示の入力がなされたことを契機に、メモリ１４に記憶した１つの議事録を対応する通話相手に送信することができる。
【００６９】
したがって、例えば、複数人の操作者によって電子筆記装置２０を共有することができる。そして、それら複数人の操作者がそれぞれの通話相手と通話しながら電子筆記装置２０において筆記した内容が、各人の携帯電話端末１０において議事録として電子データ化された後、各通話相手に対し送信される。これにより、各通話相手ごとに、通話に関連する所望の内容をそれぞれ正確に記録し、送付することができる。
【００７０】
また、以上において、上記実施の形態では、テキストデータは、いわゆる文字データである場合を例にとって説明したが、これに限られない。すなわち、上述したテキストデータとは、いわゆる文字データに限定されるものではなく、例えば、手書きの地図や設計図等のポンチ絵をそのままＪＰＧ方式やＰＤＦ方式の画像データに変換したもの、或は、文字データと画像データとの両方を含むものでもよく、本発明はこのようなものに対しても適用できる。
【００７１】
また、以上において、「通話実行時」とは、実際の通話中はもちろんであるが、通話終了直後、例えば、通話が終了した直後のメモの修正や確認等の編集時間等を含むものとすることができる。
【００７２】
さらに、議事録送信手段は、通話相手だけを送信対象とするのではなく、例えば、予め登録された操作者（又は担当上司等）の携帯電話端末１０やパーソナルコンピュータ等への電子メールアドレスに対してＣＣ又はＢＣＣでパラレルに送信することも可能である。この際、これら通話相手や予め登録された操作者等への議事録の送信は、送信前の選択画面等によって選択することも可能である。
【００７３】
また、図６に示すフローチャートは本発明を上記フローに示す手順に限定するものではなく、発明の趣旨及び技術的思想を逸脱しない範囲内で手順の追加・削除又は順番の変更等をしてもよい。
【００７４】
また、以上既に述べた以外にも、上記実施形態や各変形例による手法を適宜組み合わせて利用しても良い。
【００７５】
その他、一々例示はしないが、本発明は、その趣旨を逸脱しない範囲内において、種々の変更が加えられて実施されるものである。
【符号の説明】
【００７６】
１０              携帯電話端末
１４              ＣＰＵ（相手情報取得手段、日時情報取得手段、議事録作成手段、議事録送信手段、テキストデータ生成手段）
２０              電子筆記装置
２６Ａ            ＣＰＵ（ストロークデータ生成手段、テキストデータ生成手段）
【図１】
2015002448.tif 000003
【図２】
2015002448.tif 000004
【図３】
2015002448.tif 000005
【図４】
2015002448.tif 000006
【図５】
2015002448.tif 000007
【図６】
2015002448.tif 000008